(57)【特許請求の範囲】
【請求項１】
車載用電子機器の前面からクラスターパネルの開口部を挿通して出入するトレイ式記録媒体メカニズムのトレイ前面にクラスターパネルの開口部の縦横の寸法より縦横の寸法が大きいパネルを着脱自在として、使用状態における前記パネルが前記トレイと共に前後方向に移動することによりその位置を可変とした車載用電子機器のパネル取付構造。
【請求項２】
車載用電子機器の前面からクラスターパネルの開口部を挿通して出入するトレイ式記録媒体メカニズムのトレイ前面にクラスターパネルの開口部の縦横の寸法より縦横の寸法が大きいパネルを固定して、使用状態における前記パネルが前記トレイと共に前後方向に移動することによりその位置を可変とした車載用電子機器のパネル取付構造。
【請求項３】
前記記録媒体メカニズムがＣＤメカニズム、ＭＤメカニズムまたはカセットメカニズムのいずれかである請求項１または２の車載用電子機器のパネル取付構造。
【発明の詳細な説明】
【０００１】
【発明の属する技術分野】
この発明は車載用電子機器の取付構造に係わり、特に、大型のパネルを備えた車載用電子機器に好適な車載用電子機器のパネル取付構造に関する。
【０００２】
【従来の技術】
従来、カーステレオ等の車載用電子機器にパネルを取付ける場合、図７に示すように、パネル２０ａが取付けられた電子機器本体シャーシ２０に取付金具２、２をねじで締着し、さらに、取付金具２、２を車両に取付けていた。そして、電子機器本体の前面を覆うようにクラスターパネル６を取付けて、電子機器本体の前面に配置されているパネル２０ａをクラスターパネル６の開口部から突出させていた。
【０００３】
図８はパネル２０ａが電子機器本体シャーシ２０に固定されている例を示す。この例ではパネル２０ａにＣＤ挿入口２０ｂやカセット挿入口２０ｃが設けられている。図９に示す例では電子機器本体シャーシ２１にパネル２１ａが可動状態に取付けられており、パネル２１ａを電子機器本体の前面を開く位置に移動させたときにＣＤ挿入口２１ｂが現れるようになっている。
【０００４】
【発明が解決しようとする課題】
上記した従来の車載用電子機器のパネル取付構造ではパネル２０ａやパネル２１ａがクラスターパネル６の開口部から突出するためにパネル２０ａやパネル２１ａの縦横の寸法ａ、ｂはクラスターパネル６の開口部の縦横の寸法Ａ、Ｂよりも小さくしなくてはならない。
【０００５】
車種によってクラスターパネル６の開口部の縦横の寸法Ａ、Ｂが異なるため、パネルの寸法を最も小さいクラスターパネルの寸法に合わせなければならず、パネルの寸法が小さくなっていた。
【０００６】
そして、図８に示すパネル２０ａではパネル面にＣＤ挿入口２０ｂ等が設けられているため、表示部や操作スイッチ等が小さくなるという問題があった。図９に示すパネル２１ａはパネルを可動とするために複雑な機構が必要となり、また、その機構を収容するために機器の寸法が大きくなるという問題があった。
【０００７】
この発明は上記した点に鑑みてなされたものであって、その目的とするところは、パネルの表示部や操作スイッチ等を配置する面積を大きくすることができ、しかも機構が簡単な車載用電子機器のパネル取付構造を提供することにある。
【０００８】
【課題を解決するための手段】
この発明の車載用電子機器のパネル取付構造は、車載用電子機器の前面からクラスターパネルの開口部を挿通して出入するトレイ式記録媒体メカニズムのトレイ前面にクラスターパネルの開口部の縦横の寸法より縦横の寸法が大きいパネルを着脱自在として、使用状態における前記パネルが前記トレイと共に前後方向に移動することによりその位置を可変としたものである。
【０００９】
また、この発明の車載用電子機器のパネル取付構造は、車載用電子機器の前面からクラスターパネルの開口部を挿通して出入するトレイ式記録媒体メカニズムのトレイ前面にクラスターパネルの開口部の縦横の寸法より縦横の寸法が大きいパネルを固定して、使用状態における前記パネルが前記トレイと共に前後方向に移動することによりその位置を可変としたものである。
【００１１】
また、前記各車載用電子機器のパネル取付構造において、前記記録媒体メカニズムをＣＤメカニズム、ＭＤメカニズムまたはカセットメカニズムのいずれかとしたものである。
【００１２】
【発明の実施の形態】
この発明の実施例である車載用電子機器の取付構造を図面に基づいて説明する。図１はこの発明の第１の実施例である車載用電子機器のパネル取付構造を示す概略分解斜視図である。図２および図３は同車載用電子機器のパネル取付構造を示す部分分解斜視図である。
【００１３】
図１に示すように、電子機器本体シャーシ１に取付金具２を締着し、取付金具２を車両に締着することにより電子機器本体シャーシ１が車両に固定される。その後、クラスターパネル６を電子機器本体の前側の位置で車両に固定し、電子機器本体シャーシ１の前面から出入するトレイ式ＣＤメカニズム３をクラスターパネル６の開口部から突出させてパネル４をトレイ式ＣＤメカニズム３の前面に取付ける。
【００１４】
図２に示すようにトレイ式ＣＤメカニズム３には着脱フック３ｂおよび３ｃが設けられており、パネル４の裏面には着脱フック４ｂおよび４ｃが設けられている。これらの着脱フックを嵌合させることによりパネル４が取付けられるが、着脱フック４ｃは図示の矢印方向に回動可能であり、パネル４の着脱が自由に行える。パネル４を取付けるときにトレイ式ＣＤメカニズム３に設けられたコネクター３ａとパネル４に設けられたコネクター４ａが接続されてパネル４が電子機器本体と接続される。
【００１５】
パネル４が取付けられた後もトレイ式ＣＤメカニズム３は出入可能であるが、その位置はロック機構によりロックされている。図３に示すロックレバー５を上方に回動することによりロック解除されてトレイ式ＣＤメカニズム３は前後動が可能となる。
【００１６】
ロックレバー５はパネル４に設けられた前後調整レバー４ｄにより可動される。すなわち、前後調整レバー４ｄは図示していないばねで付勢されているが、前後調整レバー４ｄのパネル４の前に突出したつまみの部分をばねの弾力に抗して押し下げることにより前後調整レバー４ｄは回動してロックレバー５を押し上げてロックを解除する。ロックが解除された状態でトレイ式ＣＤメカニズム３を前後動させてパネル４の位置を使い安い位置に設定できる。
【００１７】
なお、ＣＤをトレイ式ＣＤメカニズム３に載置するときは、同様にトレイ式ＣＤメカニズム３を前方に突出させてトレイ式ＣＤメカニズム３にＣＤを載置することができる。この例ではパネル４がクラスターパネル６の前側に配置されるのでパネル４の縦横の寸法ａ、ｂをクラスターパネル６の開口部の縦横の寸法Ａ、Ｂより大きくした大型のパネルが使用できる。
【００１８】
図４はこの発明の第２の実施例である車載用電子機器のパネル取付構造を示す斜視図である。この例では電子機器本体シャーシ１に対して出入自在にトレイ式ＭＤ（ミニディスク）メカニズム７が設けられている。トレイ式ＭＤメカニズム７にパネル４が着脱される。着脱の機構等は第１の実施例と同様であり、その詳細な図示および説明を省略する。
【００１９】
図５はこの発明の第３の実施例である車載用電子機器のパネル取付構造を示す斜視図である。この例では電子機器本体シャーシ１に対して出入自在にトレイ式カセットメカニズム８が設けられている。トレイ式カセットメカニズム８にパネル４が着脱される。着脱の機構等は第１の実施例と同様であり、その詳細な図示および説明を省略する。
【００２０】
図６はこの発明の第４の実施例である車載用電子機器のパネル取付構造を示す斜視図である。この例では電子機器本体シャーシ１に対して出入自在にトレイ式カセットメカニズム９が設けられている。トレイ式カセットメカニズム９にパネル１０が固定される。パネル１０のトレイ式カセットメカニズム９への固定はねじによる締着あるいは圧入等によってもよい。パネル１０はトレイ式カセットメカニズム９と一体のまま本体に着脱できる。
【００２１】
【発明の効果】
この発明の車載用電子機器のパネル取付構造によれば、クラスターパネルを用いる場合にも大型のパネルの使用が可能であり、パネルの前後位置の調整のためだけの機構を設けることなく、パネルの前後位置の調整が可能となる。
【００２２】
そして、パネル面を車室内側に突出させることにより、操作性を向上させることが可能となる。
【図面の簡単な説明】
【図１】この発明の第１の実施例である車載用電子機器のパネル取付構造を示す分解斜視図である。
【図２】同パネル取付構造の部分を示す分解斜視図である。
【図３】同パネル取付構造の部分を示す分解斜視図である。
【図４】この発明の第２の実施例である車載用電子機器のパネル取付構造を示す斜視図である。
【図５】この発明の第３の実施例である車載用電子機器のパネル取付構造を示す斜視図である。
【図６】この発明の第４の実施例である車載用電子機器のパネル取付構造を示す斜視図である。
【図７】従来の車載用電子機器のパネル取付構造を示す分解斜視図である。
【図８】従来のパネル取付構造が用いられる車載用電子機器を示す斜視図である。
【図９】従来のパネル取付構造が用いられる車載用電子機器の他の例を示す斜視図である。
【符号の説明】
１  電子機器本体シャーシ
２  取付金具
３  トレイ式ＣＤメカニズム、３ａ  コネクター、３ｂ、３ｃ  着脱フック
４  パネル、４ａ  コネクター、４ｂ、４ｃ  着脱フック
４ｄ  前後調整レバー
５  ロックレバー
６  クラスターパネル
７  トレイ式ＭＤメカニズム
８  トレイ式カセットメカニズム
９  トレイ式カセットメカニズム
１０  パネル
２０  電子機器本体シャーシ、２０ａ  パネル、２０ｂ  ＣＤ挿入口
２０ｃ  カセット挿入口
２１  電子機器本体シャーシ、２１ａ  パネル、２１ｂ  ＣＤ挿入口
【図１】
0004183936.tif 000002
【図２】
0004183936.tif 000003
【図３】
0004183936.tif 000004
【図４】
0004183936.tif 000005
【図５】
0004183936.tif 000006
【図６】
0004183936.tif 000007
【図７】
0004183936.tif 000008
【図８】
0004183936.tif 000009
【図９】
0004183936.tif 000010